(57)【要約】【課題】  対象物を把持する力が大きい、又は対象物を切断することができるレバー付きピンセットを提供する。【解決手段】  相対向するように配置され基端側が結合し、先端側が離反した一対の挟持片１１、１２と、該一対の挟持片の一方に回動自在に立設され相手側挟持片に向かって延びる支軸１３と、他方の挟持片に穿設され、前記支軸が貫通する孔と、該孔を貫通した支軸の先端近傍に、支軸と交差して設けられた小軸１５と、該小軸に一端が回動自在に取り付けられたレバー１６と、該レバーに設けられた支点１６ａとを有し、前記挟持片の前記支軸より先端側部分を把持部１１ａ、１２ａとし、該把持部に、前記支軸を取り付けた位置における挟持片の幅より狭くなる部分を設けた。把持部の先端に切刃を設けると対象物を切断することができる。【選択図】      図１
2011173177.tif 000002
【特許請求の範囲】
【請求項１】
相対向するように配置され基端側が結合し、先端側が離反した一対の挟持片と、該一対の挟持片の一方に回動自在に立設され相手側挟持片に向かって延びる支軸と、他方の挟持片に穿設され、前記支軸が貫通する孔と、該孔を貫通した支軸の先端近傍に、支軸と交差して設けられた小軸と、該小軸に一端が回動自在に取り付けられたレバーと、該レバーに設けられた支点とを有し、前記挟持片の前記支軸より先端側部分を把持部とし、該把持部に、前記支軸を取り付けた位置における挟持片の幅より狭くなる部分を設けたことを特徴とするレバー付きピンセット。
【請求項２】
相対向するように配置され一端側が結合した一対の挟持片と、該一対の挟持片の一方に回動自在に立設され相手側挟持片に向かって延びる支軸と、他方の挟持片に穿設され、前記支軸が貫通する孔と、該孔を貫通した支軸の先端近傍に、支軸と交差して設けられた小軸と、該小軸に一端が回動自在に取り付けられたレバーと、該レバーに設けられた支点とを有し、前記挟持片の前記支軸より先端側部分を把持部とし、該把持部の長さが、把持部の長さを含む挟持片の全体の長さの１／５以上で１／２以下であることを特徴とするレバー付きピンセット。
【請求項３】
前記把持部に前記支軸を取り付けた位置における挟持片の幅より狭くなる部分を設けたことを特徴とする請求項２に記載のレバー付きピンセット。
【請求項４】
前記把持部の先端が、前記支軸を取り付けた位置における挟持片の幅より狭いことを特徴とする請求項１から３のいずれかに記載のレバー付きピンセット。
【請求項５】
前記把持部の先端に切刃を設けたことを特徴とする請求項１から４のいずれかに記載のレバー付きピンセット。
【発明の詳細な説明】
【技術分野】
【０００１】
本発明はピンセットに関し、特に、把持力を大きくすることができ、必要に応じて挟んだものを切断することもできるレバー付きピンセットに関する。
【背景技術】
【０００２】
一般的なピンセットは、一対の挟持片の一端（基端）を結合し、中間から先端に向けて徐々に細くし、先端に滑止の細溝を多数形成した把持部を形成した構成をしている。結合した基端部に弾性が付与されているので、先端の把持部は、自然な状態では離反していて、ものを掴み易くなっている。このようなピンセットは、一般に、人の手指でつかみ難いような小さな物や、手で直接触れることに問題があるような物体をつかむために用いられる。
【０００３】
ピンセットは、人の手指で一対の挟持片の両側を押圧し、その押圧力で対象物を挟んで掴むのであるが、ピンセット自身の弾性の問題や、手指の力の限界もあり、掴む力はあまり大きくすることができない。一方、たとえば、網の目のように多くの配線がされている中から、目的の一本の電線を取り出すような場合、対象となる電線を掴むだけでなく、他の多くの電線が絡んでいるところから、掴んでいる電線を引き出す必要がある。その場合、電線を掴む力が大きくないと、引き出すことができないが、従来のピンセットでは力が不足してしまう。
【０００４】
また、掴むだけでなく、掴んだものを切断する必要がある場合、従来のピンセットでは切断できないので、別の鋏やニッパーなどを用意して切断することになり、作業が複雑になり、時間も掛かる。
【０００５】
また、前述した網の目のように多くの配線がされている中の１本を切断する場合には、従来はピンセットで掴んでから、ニッパーで切断しているが、周囲に十分な空間が確保できないと、ニッパーを使用することができない。
【０００６】
これらの問題に対し、特許文献１ではピンセットの基端部に刃部材を交換可能に取り付け、切断作業が必要な場合は、ピンセットを反転させて刃部材で切断できるようにしたピンセットを提案している。これは、主として外科の縫合手術において、縫合が完了したとき、余分な縫合糸を切断するために使用するものである。
【先行技術文献】
【特許文献】
【０００７】
【特許文献１】特開２００６−７５５８３
【発明の概要】
【発明が解決しようとする課題】
【０００８】
しかしながら、掴んだものを切断するためにピンセットを反転させる場合、反転させるとき、掴んだものを離さなければならない。前記の縫合糸であれば、ピンセットによる作業が完了した後になるので、離しても問題ないが、前記の網の目のように多くの配線がされている中から、目的の一本の電線を取り出すような場合、折角掴んだ電線を離すと、電線に加わっている張力等により、電線が元の位置に戻ってしまい、切断できなくなるということになる。
【０００９】
本発明は、上記の事実に鑑みてなされたもので、対象物を把持する力が大きいレバー付きピンセットを提供することを第１の目的としている。
【００１０】
また、選び出した対象物を把持するだけでなく、切断することもできるレバー付きピンセットを提供することを第２の目的としている。
【課題を解決するための手段】
【００１１】
上記の第１の目的を達成するために本発明のレバー付きピンセットは、相対向するように配置され基端側が結合し、先端側が離反した一対の挟持片と、該一対の挟持片の一方に回動自在に立設され相手側挟持片に向かって延びる支軸と、他方の挟持片に穿設され、前記支軸が貫通する孔と、該孔を貫通した支軸の先端近傍に、支軸と交差して設けられた小軸と、該小軸に一端が回動自在に取り付けられたレバーと、該レバーに設けられた支点とを有し、前記挟持片の前記支軸より先端側部分を把持部とし、該把持部に、前記支軸を取り付けた位置における挟持片の幅より狭くなる部分を設けたことを特徴としている。
【００１２】
または、相対向するように配置され一端側が結合した一対の挟持片と、該一対の挟持片の一方に回動自在に立設され相手側挟持片に向かって延びる支軸と、他方の挟持片に穿設され、前記支軸が貫通する孔と、該孔を貫通した支軸の先端近傍に、支軸と交差して設けられた小軸と、該小軸に一端が回動自在に取り付けられたレバーと、該レバーに設けられた支点とを有し、前記挟持片の前記支軸より先端側部分を把持部とし、該把持部の長さが、把持部の長さを含む挟持片の全体の長さの１／５以上で１／２以下であることを特徴としている。前記把持部に前記支軸を取り付けた位置における挟持片の幅より狭くなる部分を設けた構成としたり、前記把持部の先端が、前記支軸を取り付けた位置における挟持片の幅より狭い構成としたりすることができる。
【００１３】
上記第２の目的を達成する本発明のレバー付きピンセットは、前記いずれかの構成において、把持部の先端に切刃を設けた構成としている。
【発明の効果】
【００１４】
本発明のピンセットによれば、レバーを有しているので、強い把持力を得ることができるという優れた効果を奏する。また、切刃を設けた構成にすれば、対象物を切断することができ、ピンセットから離すと動いてしまうような対象物の所望の位置をカットすることができるという格別の効果を奏する。また、ピンセットの他に鋏などの刃物を用意する必要がない。
【図面の簡単な説明】
【００１５】
【図１】本発明のピンセットの使用時の状態を示す図で、（ａ）は正面図、（ｂ）は上面図である。
【図２】本発明のピンセットの格納時の状態を示す正面図である。
【図３】本発明のピンセットの動作状態を示す図で、（ａ）は側面図、（ｂ）はレバーの部分の側面図である。
【発明を実施するための形態】
【００１６】
以下、本発明の実施の形態を添付図面を参照して説明する。
【００１７】
図１は、本発明のレバー付きピンセットの使用時の状態を示すで、（ａ）は正面図、（ｂ）は上面図である。これらの図に示すように、本発明のレバー付きピンセット１０は、一対の挟持片１１、１２と、一方の挟持片１１の中間部に穿設された孔１４ａに挿通された支軸１３と、他方の挟持片１２に穿設され支軸１３が貫通する孔１４ｂと、支軸１３の先端近くに支軸１３と交差するように設けられた小軸１５と、この小軸１５に回動自在に取り付けられたレバー１６とから構成されている。
【００１８】
挟持片１１、１２は、鏡面対称形状で、基端側が一体的に結合され、挟持片１１、１２自身の弾性により先端側が相互に離反する方向に付勢されている。挟持片１１の支軸１３から先端側の部分は、把持部１１ａ、１２ａとなっている。把持部１１ａ、１２ａの先端部は相手側の挟持片１１、１２に向かって折曲し、先端には切刃１１ｂ、１２ｂが形成されている。切刃１１ｂ、１２ｂを設けることで、本発明のレバー付きピンセット１０は、ニッパーのように、挟んだものを切断することができる。ただし、先端を切刃１１ｂ、１２ｂとしないで把持する目的に合わせた形態にすることができる。
【００１９】
支軸１３は、一方の挟持片１１に穿設された孔１４ａに挿入され、他方の挟持片１２に穿設された孔１４ｂを貫通して先端が挟持片１２から突出するようにしている。支軸１３の一端には径の大きい頭部１３ａがあり、これで孔１４ａを通過できないようになっている。孔１４ａ、１４ｂと支軸１３とは遊嵌しているので、支軸１３は挟持片１１、１２に回動自在に取り付けられていることになる。
【００２０】
挟持片１２を貫通した支軸１３の先端近くには、切欠１３ｂがあり、支軸１３の切欠１３ｂの上側に孔を明け、この孔に小軸１５を嵌合できるようしている。この小軸１５は、レバー１６が係合するためのもので、支軸１３に交差（この実施例では直交）している。
【００２１】
レバー１６は先端近傍が折曲した形状で、この曲がり角がレバー１６の支点１６ａである。また、レバー１６の先端には支軸１３が遊嵌できる幅の切欠１６ｂがあり、この切欠１６ｂの先端には、小軸１５が嵌合する孔がある。
【００２２】
組み立てる場合、手指などで挟持片１１、１２を挟んで接近させ、支軸１３の先端が挟持片１２から突出するようにする。この状態で、レバー１６の先端の切欠１６ｂの中に支軸１３を入れ、レバー１６の先端の孔と支軸１３の孔とを重ねて小軸１５を挿通する。小軸１５はレバー１６か支軸１３のいずれかに固定する。以上によって、支軸１３が挟持片１１、１２から抜け落ちるのを防止できる。このとき、レバー１６の先端から支点１６ａまでが挟持片１２に圧接した状態となる。以上で組み立ては完了である。
【００２３】
組み立てが完了した状態で、レバー１６を、小軸１５を軸として回動したときレバー１６の先端の切欠１６ｂによって、支軸１３の頂上を越えて支軸１３の反対側まで回転することが可能になっている。さらにレバー１６は、支軸１３を中心とした回転も可能である。
【００２４】
図２はピンセット１０を格納した状態の図である。レバー１６を図１に示す使用時の状態から支軸１３を中心にほぼ１８０゜回転し、その状態から今度は小軸１５を中心に１８０゜回転したものである。レバー１６は挟持片１２に沿って折り畳まれた状態になる。
【００２５】
図３は、レバー付きピンセット１０の動作状態を示す図である。図１の状態のレバー１６の先端を矢印ａ方向に押し下げると、レバー１６の支点１６ａが挟持片１２を押し下げるように作用する。そして、レバー１６の先端が支軸１３を持ち上げるように作用し、挟持片１１を持ち上げるように作用する。
【００２６】
このとき、レバー１６の先端に加わる力をｆとし、支点１６ａから小軸１５中心までの距離をＬ１とし、支点１６ａからレバー１６の先端までの距離をＬ２とすると、小軸１５に加わる力Ｆは、Ｆ＝ｆ×Ｌ２／Ｌ１となる。Ｌ２はＬ１の数倍あるので、小軸１５には通常のピンセットの挟む力の数倍の力が加わることになり、当然ながら、切刃１１ｂと１２ｂの間には従来のピンセットで挟む力の数倍の力が加わり、電線などを切断することができる。
【００２７】
切刃１１ｂ、１２ｂが無い場合は、両者間にある対象物を把持するだけであるが、レバー１６で力を加えるので把持力が強力になり、たとえば、網の目のように多くの配線がされている中から、目的の一本の電線を取り出すような場合でも、対象となる電線を掴むだけでなく、他の多くの電線が絡んでいる場所から、強い抵抗力に打ち勝って掴んでいる電線を引き出すことが可能となる。
【００２８】
また、本発明のレバー付きピンセット１０は、把持部１１ａ、１２ａの構成に特徴がある。把持部１１ａ、１２ａの形状は、目的に合わせて任意の形状にすることができる。しかし、本発明のレバー付きピンセット１０では把持部１１ａ、１２ａに、図１（ｂ）に示すように、支軸１３が挿通される位置における挟持片１１、１２の幅Ｗよりも狭い幅ｗとなる部分を有するようにしている。幅の狭い部分は、把持部１１ａ、１２ａの先端でもよいし、中間でもよいが、先端は幅Ｗよりも狭い方が望ましい。幅の狭い部分を設けることによって、把持部１１ａ、１２ａで小さなものを正確に把持したり、切断したりすることが容易になる。
【００２９】
また、本発明のレバー付きピンセット１０は、把持部１１ａ、１２ａの長さにも特徴がある。挟持片１１、１２の全体の長さをＳ１とし、把持部１１ａ、１２ａの長さをＳ２としたとき、Ｓ２／Ｓ１は、１／５以上で、１／２以下となっている。Ｓ２の長さが１／５より短いと、切断力や把持力を大きくすることができるが、狭いところで細かなものを把持する作業はやりにくくなるからである。Ｓ２の長さが１／２を越えると、狭いところで把持する作業は容易になるが、把持力や切断能力が低下するからである。
【産業上の利用可能性】
【００３０】
本発明のレバー付きピンセットは、上述した電線の引き出しや切断の他にも多様な用途、たとえば、植木の剪定などにも利用することができる。
【符号の説明】
【００３１】
１０      レバー付きピンセット
１１      挟持片
１１ａ    把持部
１１ｂ    切刃
１２      挟持片
１２ａ    把持部
１３      支軸
１３ａ    頭部
１３ｂ    切欠
１４ａ    孔
１４ｂ    孔
１５      小軸
１６      レバー
１６ａ    支点
１６ｂ    切欠
【図１】
2011173177.tif 000003
【図２】
2011173177.tif 000004
【図３】
2011173177.tif 000005
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
相対向するように配置され一端側が結合した一対の挟持片と、該一対の挟持片の一方に回動自在に立設され相手側挟持片に向かって延びる支軸と、他方の挟持片に穿設され、前記支軸が貫通する孔と、該孔を貫通した支軸の先端近傍に、支軸と交差して設けられた小軸と、該小軸に一端が回動自在に取り付けられたレバーと、該レバーに設けられた支点とを有し、前記挟持片の前記支軸より先端側部分を把持部とし、該把持部の長さが、把持部の長さを含む挟持片の全体の長さの１／５以上で１／２以下であることを特徴とするレバー付きピンセット。
【請求項２】
前記把持部に前記支軸を取り付けた位置における挟持片の幅より狭くなる部分を設けたことを特徴とする請求項１に記載のレバー付きピンセット。
【請求項３】
前記把持部の先端が、前記支軸を取り付けた位置における挟持片の幅より狭いことを特徴とする請求項１または２に記載のレバー付きピンセット。
【請求項４】
前記把持部の先端に切刃を設けたことを特徴とする請求項１から３のいずれかに記載のレバー付きピンセット。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
上記の第１の目的を達成するために本発明のレバー付きピンセットは、相対向するように配置され一端側が結合した一対の挟持片と、該一対の挟持片の一方に回動自在に立設され相手側挟持片に向かって延びる支軸と、他方の挟持片に穿設され、前記支軸が貫通する孔と、該孔を貫通した支軸の先端近傍に、支軸と交差して設けられた小軸と、該小軸に一端が回動自在に取り付けられたレバーと、該レバーに設けられた支点とを有し、前記挟持片の前記支軸より先端側部分を把持部とし、該把持部の長さが、把持部の長さを含む挟持片の全体の長さの１／５以上で１／２以下であることを特徴としている。前記把持部に前記支軸を取り付けた位置における挟持片の幅より狭くなる部分を設けた構成としたり、前記把持部の先端が、前記支軸を取り付けた位置における挟持片の幅より狭い構成としたりすることができる。